(57)【要約】【課題】位置情報基盤通信装置と方法を提供する。【解決手段】本発明の位置情報基盤通信装置は、発信端末機、通信制御部、ローカル端末位置格納部、および受信対象端末機を含んでなる。発信端末機は、ユーザの選択した呼接続位置情報を通信制御部へ伝送し、呼接続位置の周辺に存在する一つ以上の受信対象端末機の情報リストを画面上に出力し、呼信号を通信制御部へ伝送する。通信制御部は、受信対象端末機のリストをローカル端末位置格納部から受信し、受信対象端末機情報リストを発信端末機へ伝送した後、所望の受信対象端末機の電話番号へ有・無線通信網を介して接続して発信端末機と受信対象端末機とを連結させる。【選択図】図１
2015519023.tif 000002
【特許請求の範囲】
【請求項１】
通信社の通信制御部が発信端末機から呼接続のための呼接続位置情報（受信対象位置情報）を受信する第１段階と、
前記通信制御部が、呼接続位置情報に対応する呼接続位置の周辺に存在する受信対象端末機の情報リストを呼接続位置を担当するローカル端末位置格納部に要請し、その要請に応えてローカル端末位置格納部から伝送された受信対象端末機情報リストを前記通信制御部が受信する第２段階と、
前記通信制御部が前記第２段階で受信された受信対象端末機情報リストを前記発信端末機へ伝送し、呼信号の受信を待機する第３段階と、
前記発信端末機のユーザが受信対象端末機情報リストからいずれか一つまたは複数の受信対象端末機を選択することにより伝送された呼信号を前記通信制御部が受信し、その受信された呼信号に対応する受信対象端末機の電話番号へ有・無線通信網を介して接続して前記発信端末機と前記受信対象端末機とを連結する第４段階とを含んでなることを特徴とする、位置情報基盤通信方法。
【請求項２】
インターネットを介して接続するユーザの発信端末機へ、Ｗｅｂサーバーが呼接続のための呼接続位置情報を入力あるいは選択することが可能な呼接続位置情報入力画面を伝送する第１段階と、
呼接続位置情報入力画面を介してユーザが入力あるいは選択した呼接続位置情報を前記Ｗｅｂサーバーが受信し、その呼接続位置情報を通信制御部へ伝送して受信対象端末機情報リストを要請する第２段階と、
前記Ｗｅｂサーバーの要請に応えて前記通信制御部がローカル端末位置格納部から受信対象端末機情報リストを受信して前記Ｗｅｂサーバーへ提供し、前記Ｗｅｂサーバーは受信された受信対象端末機情報リストを前記発信端末機へ伝送する第３段階と、
ユーザが受信対象端末機情報リストを用いて１名の受信者または複数の受信者を選択した後、所望の通信方法を選択して伝送する情報を前記Ｗｅｂサーバーが受信し、前記Ｗｅｂサーバーは、ユーザが選択した受信対象端末機へ、ユーザが選択したテキストメッセージ、通話およびデータ通信の中から選ばれたいずれか一つの通信方法で情報を伝送しあるいは通話が行われるようにする第４段階とを含んでなることを特徴とする、位置情報基盤通信方法。
【請求項３】
前記ローカル端末位置格納部は、ローカル領域内に存在する前記受信対象端末機から一定の周期ごとに伝送された位置情報を基地局を介して受信して格納し、前記通信制御部から呼接続位置情報が伝送されると、その呼接続位置情報に該当する呼接続位置から設定半径内に存在する受信対象端末機を取り合わせて受信対象端末機情報リストを生成させて前記通信制御部へ伝送することを特徴とする、請求項１または２に記載の位置情報基盤通信方法。
【請求項４】
前記受信対象端末機は、
前記基地局との交信が可能であり且つ衛星からＧＰＳ位置情報を受信して前記基地局へ伝送することが可能な第１無為中継器が連結された有線端末機；
衛星からＧＰＳ位置情報の受信が可能であり且つ通話が可能な無線端末機；
前記基地局との交信が可能であるうえ、衛星からＧＰＳ位置情報を受信して前記基地局へ伝送することができ且つ呼接続のための電話番号の付与を受けた第２無線中継器が連結されたＣＣＴＶカメラ；
衛星からＧＰＳ位置情報を受信することができ且つ無線通話が可能なナビゲーション；
前記基地局との交信が可能であるうえ、衛星からＧＰＳ位置情報を受信して前記基地局へ伝送することができ且つ呼接続のための電話番号の付与を受けた第２無線中継器が連結されたカメラ付き運送手段用ブラックボックス；
携帯電話；
スマートフォン；および
タブレットＰＣのいずれか一つであることを特徴とする、請求項１または２に記載の位置情報基盤通信方法。
【請求項５】
前記通信制御部が、呼接続位置（受信対象位置）の周辺に存在する前記受信対象端末機のリストを前記ローカル端末位置格納部に要請したことに対して、前記ローカル端末位置格納部から該当呼接続位置の設定半径内に前記受信対象端末機が存在しないと応答がくると、前記通信制御部は、前記ローカル端末位置格納部へ設定半径を所定の距離拡張するように要請し、前記ローカル端末位置格納部は、前記通信制御部の要請に答えて呼接続位置に対する設定半径を拡張し、その設定半径内に存在する前記受信対象端末機のリストを生成して前記通信制御部へ伝送することを特徴とする、請求項１または２に記載の位置情報基盤通信方法。
【請求項６】
前記呼接続位置情報は住所情報および緯度と経度からなる位置座標（Ｘ，Ｙ）のうちいずれか一つであることを特徴とする、請求項１または２に記載の位置情報基盤通信方法。
【請求項７】
呼接続位置情報入力画面には、ユーザが交信しようとする対象分野（カテゴリー）を選択することが可能な対象分野選択画面が含まれ、
前記対象分野選択画面には、多数の分野を示す分野ポップアップウィンドウが表示され、
特定の分野ポップアップウィンドウが選択されると、前記Ｗｅｂサーバーは、ユーザが選択した呼接続位置情報に対応する位置で該当分野として予め登録されている受信対象者情報リストを前記発信端末機へ提供することを特徴とする、請求項１または２に記載の位置情報基盤通信方法。
【請求項８】
ユーザの選択した通信方法がＳＭＳ（Ｓｈｏｒｔ  Ｍｅｓｓａｇｅ  Ｓｅｒｖｉｃｅ）テキストメッセージ伝送であれば、前記Ｗｅｂサーバーは、ユーザがテキストメッセージを入力することが可能な入力画面を提供し、その入力画面に入力されたテキストメッセージを前記通信制御部へ伝送して前記受信対象端末機にテキストメッセージが伝送されるようにすることを特徴とする、請求項２に記載の位置情報基盤通信方法。
【請求項９】
前記発信端末機は、有線または無線インターネット通信が可能な端末機であって、携帯電話、ＰＣ、ＰＤＡ（Ｐｅｒｓｏｎａｌ  Ｄｉｇｉｔａｌ  Ａｓｓｉｓｔａｎｔ）、スマートフォン、タブレットＰＣ、衛星フォン、およびノート型パソコンのいずれか一つであることを特徴とする、請求項２に記載の位置情報基盤通信方法。
【請求項１０】
ユーザの選択した呼接続位置情報を通信制御部へ伝送し、該通信制御部から伝送された呼接続位置の周辺に存在する少なくとも一つの受信対象端末機の情報リストを画面上に出力し、受信対象端末機情報リストから選ばれたいずれか一つまたはそれ以上の前記受信対象端末機を対象とする呼信号を前記通信制御部へ伝送する発信端末機と、
前記発信端末機から伝送された呼接続位置情報に対応する呼接続位置の周辺に存在する前記受信対象端末機のリストを、該当受信対象位置を担当するローカル端末位置格納部から受信して前記発信端末機へ伝送した後、前記発信端末機から伝送された呼信号に対応する前記受信対象端末機の電話番号へ有・無線通信網を介して接続して前記発信端末機と前記受信対象端末機とを連結させる通信制御部と、
ローカル領域内に存在する前記受信対象端末機から一定の周期ごとに伝送された位置情報を基地局を介して受信して格納し、前記通信制御部から呼接続位置情報が伝送されると、その呼接続位置情報に該当する呼接続位置（受信対象位置）から設定半径内に存在する前記受信対象端末機を取り合わせて受信対象端末機情報リストを生成させて前記通信制御部へ伝送するローカル端末位置格納部と、
衛星から伝送される位置情報を受信して前記基地局へ伝送する受信対象端末機とを含んでなることを特徴とする、位置情報基盤通信装置。
【請求項１１】
有無線インターネット通信が可能な端末機であって、インターネットを介してＷｅｂサーバーに接続し、該Ｗｅｂサーバーから提供される受信対象端末機情報リストから一つまたはそれ以上の受信者、および前記選択された受信者と交信しようとする通信方法を選択して前記Ｗｅｂサーバーへ伝送し、前記Ｗｅｂサーバーによって連結された受信対象端末機と交信する発信端末機と、
インターネットを介して接続した前記発信端末機へ、呼接続位置情報を入力あるいは選択することが可能な呼接続位置情報入力画面を提供し、呼接続位置情報入力画面を介して入力された呼接続位置情報を通信制御部へ伝送し、該通信制御部から伝送された呼接続位置の周辺に存在する前記受信対象端末機の情報リストを前記発信端末機に画面出力し、前記発信端末機によって受信対象端末機情報リストから選ばれたいずれか一つまたはそれ以上の前記受信対象端末機を対象とする呼信号を前記通信制御部へ伝送するＷｅｂサーバーと、
前記Ｗｅｂサーバーから伝送された呼接続位置情報に対応する呼接続位置の周辺に存在する前記受信対象端末機の情報リストを、該当受信対象位置を担当するローカル端末位置格納部から受信して前記Ｗｅｂサーバーへ伝送し、前記Ｗｅｂサーバーから伝送された呼信号に対応する前記受信対象端末機の電話番号へ有・無線通信網を介して接続して前記発信端末機と前記受信対象端末機とを連結させる通信制御部と、
ローカル領域内に存在する前記受信対象端末機から一定の周期ごとに伝送された位置情報を基地局を介して受信して格納し、前記通信制御部から呼接続位置情報が伝送されると、その呼接続位置情報に該当する呼接続位置（受信対象位置）から設定半径内に存在する前記受信対象端末機を取り合わせて受信対象端末機情報リストを生成させて前記通信制御部へ伝送するローカル端末位置格納部と、
衛星から伝送される位置情報を受信して前記基地局へ伝送する受信対象端末機とを含んでなることを特徴とする、位置情報基盤通信装置。
【請求項１２】
端末機に設置され、該当端末機を位置情報を基盤とする発信器または受信器として使用するように動作し、発信器として動作する場合、ユーザが呼接続位置情報を入力することが可能な入力画面を端末機の画面上に出力し、ユーザが入力する呼接続位置情報を位置情報基盤サーバーアプリケーション部へ伝送し、該位置情報基盤サーバーアプリケーション部から受信される受信対象端末機情報リストを画面上に出力し、ユーザが選択する一つまたはそれ以上の受信対象端末機情報、および通信方法を前記位置情報基盤サーバーアプリケーション部へ伝送する位置情報基盤通信アプリケーション部と、
端末機へ位置情報基盤通信アプリケーションプログラムをダウンロードして位置情報基盤通信アプリケーション部を設置し、位置情報基盤通信アプリケーション部から呼接続位置情報が伝送される場合、該当呼接続位置の周辺に位置した受信対象端末機の情報リストを位置情報基盤通信アプリケーション部へ伝送し、該位置情報基盤通信アプリケーション部から選択されて伝送された受信対象端末機情報および通信方法に基づいて交信が行われるように制御する位置情報基盤サーバーアプリケーション部とを含んでなることを特徴とする、位置情報基盤通信アプリケーション装置。
【請求項１３】
前記位置情報基盤通信アプリケーション部は、
端末機に設置されて該当端末機を発信器または受信器として作動させ、発信器としての動作の際に呼接続位置情報、受信対象分野、および通信方法を選択することができるように動作する位置情報基盤通信アプリケーションと、
無線インターネットまたは電話網を介しての通信機能を有し、前記位置情報基盤サーバーアプリケーション部から位置情報基盤通信アプリケーションプログラムの供給を受けて端末機に設置し、前記位置情報基盤通信アプリケーションから出力されるデータを前記位置情報基盤サーバーアプリケーション部へ伝送する通信部とを含んでなることを特徴とする、請求項１２に記載の位置情報基盤通信アプリケーション装置。
【請求項１４】
前記位置情報基盤通信アプリケーションは、
座標入力モード、住所入力モード、道路名入力モード、建物名入力モード、または地図入力モードで呼接続するための呼接続位置情報を入力することが可能な呼接続モード入力画面を端末機の画面に表示する位置情報入力アプリケーションと、
位置情報を基盤とする接続要請の際に発信者が交信しようとする受信者の対象分野（カテゴリー）を選択することが可能な対象分野選択画面を端末機の画面に表示する受信対象分野選択アプリケーションと、
発信者が受信対象者と交信するとき、「音声通話」、「映像通話」、「テキストメッセージ」、および「データ伝送」の中からいずれか一つの通信方法を選択することが可能な通信方法選択画面を端末機の画面上に表示する通信方法選択アプリケーションと、
該当端末機を受信器として作動させるように動作し、発信器から位置情報を基盤とする通話要請がある場合、受信者が通話または拒絶を選択することが可能な受信選択画面を端末機の画面上に出力する受信アプリケーションとを含んでなることを特徴とする、請求項１２に記載の位置情報基盤通信アプリケーション装置。
【請求項１５】
前記位置情報基盤サーバーアプリケーション部は、
前記位置情報基盤通信アプリケーション部へ、ダウンロードすべき位置情報基盤通信アプリケーションプログラムを格納および伝送するデータコントロールモジュールと、
前記位置情報基盤通信アプリケーション部と周期的に交信しながら最新の位置情報基盤通信アプリケーションプログラムをアップデートさせるアップデートモジュールと、
前記位置情報基盤通信アプリケーション部とデータを交信しながら、前記位置情報基盤通信アプリケーション部からの呼接続要請があるとき、通信網をなす通信制御部と交信して位置情報基盤通信が行われるように制御する通信制御モジュールとを含んでなることを特徴とする、請求項１２に記載の位置情報基盤通信アプリケーション装置。
【請求項１６】
前記端末機は、
基地局との交信が可能であり且つ衛星からＧＰＳ位置情報を受信して前記基地局へ伝送することが可能な第１無線中継器が連結された有線端末機；
衛星からＧＰＳ位置情報の受信が可能であり且つ通話が可能な無線端末機；
前記基地局との交信が可能であるうえ、衛星からＧＰＳ位置情報を受信して前記基地局へ伝送することができ且つ呼接続のための電話番号の付与を受けた第２無線中継器が連結されたＣＣＴＶカメラ；
衛星からＧＰＳ位置情報を受信することができ且つ無線通話が可能なカメラ付きナビゲーション；
前記基地局との交信が可能であるうえ、衛星からＧＰＳ位置情報を受信して前記基地局へ伝送することができ且つ呼接続のための電話番号の付与を受けた第２無線中継器が連結されたカメラ付き運送手段用ブラックボックス；
携帯電話；
スマートフォン；および
タブレットＰＣのいずれか一つであることを特徴とする、請求項１２に記載の位置情報基盤通信アプリケーション装置。
【発明の詳細な説明】
【技術分野】
【０００１】
本発明は、位置情報基盤通信装置と方法、および位置情報基盤通信アプリケーション装置に係り、さらに詳しくは、通信端末機のユーザが、特定の位置に存在する一人または複数の受信対象者と通話をする、あるいはテキストメッセージを交信することができるようにした、位置情報基盤通信装置と方法、および位置情報基盤通信アプリケーション装置に関する。
【背景技術】
【０００２】
現在、ＩＴ（Ｉｎｆｏｒｍａｔｉｏｎ  Ｔｅｃｈｎｏｌｏｇｙ）技術の発達により様々な通信方法が提供されている。
代表的な無線通信方法は、携帯電話を用いた通信であって、発信者が受信者の所持する携帯電話の電話番号を入力してダイヤリング（呼接続）することにより、通信社から該当電話番号に電話をかけて発信者が受信者と通話するようにする方法である。
ところが、従来の通信方法は、大部分が端末機の固有の電話番号（または接続番号）を用いて接続および通信する方法であるため、特定の地域に存在する端末機所有者との通話が難しいという問題点があった。
【０００３】
例えば、韓国釜山市の「ヘウンデ」で祝祭が開いているとき、ソウル市に住むユーザが現在「ヘウンデ」で祝祭を楽しんでいる特定人と通話することが可能な方法が提供されないため、ソウル市に住むユーザは、ニュースを介して該当祝祭に対する情報を取得することに、あるいはインターネットを介して極めて制限的に提供される写真情報を取得することに満足しなければならないという問題点が生じた。
【発明の概要】
【発明が解決しようとする課題】
【０００４】
そこで、本発明は、上述した従来の技術の問題点を解決するためのもので、その目的は、発信者が端末機を用いて呼接続しようとする呼接続位置情報を入力し、システムで呼接続位置情報（受信対象位置）の周辺に存在している受信対象端末機のリストを発信者の端末機へ提供することにより、発信者が呼接続位置の周辺に存在する不特定多数の受信対象端末機と交信することができるようにした、位置情報基盤通信装置と方法、および位置情報基盤通信アプリケーション装置を提供することにある。
【課題を解決するための手段】
【０００５】
上記目的を達成するために、本発明は、通信社の通信制御部が発信端末機から呼接続のための呼接続位置情報（受信対象位置情報）を受信する第１段階と、前記通信制御部が、呼接続位置情報に対応する呼接続位置の周辺に存在する受信対象端末機の情報リストを呼接続位置を担当するローカル端末位置格納部に要請し、その要請に応えてローカル端末位置格納部から伝送された受信対象端末機情報リストを前記通信制御部が受信する第２段階と、前記通信制御部が前記第２段階で受信された受信対象端末機情報リストを前記発信端末機へ伝送し、呼信号の受信を待機する第３段階と、前記発信端末機のユーザが受信対象端末機情報リストからいずれか一つまたは複数の受信対象端末機を選択することにより伝送された呼信号を前記通信制御部が受信し、その受信された呼信号に対応する受信対象端末機の電話番号へ有・無線通信網を介して接続して前記発信端末機と前記受信対象端末機とを連結する第４段階とを含んでなることを特徴とする、位置情報基盤通信方法を提供する。
【発明の効果】
【０００６】
本発明によれば、位置情報を呼信号にして発信端末機のユーザが呼接続位置の周辺に存在する不特定多数の受信対象端末機の中からいずれか一つの受信対象端末機を選択して通話しあるいはテキストメッセージを伝送することができることにより、発信者が不特定位置に存在する受信者を介してその地域の状況を確認することができるのは勿論、該当地域の映像情報を受信することができるため、ユーザが所望の地域に対する各種情報の提供をより便利かつ正確に受けることができるようにする効果を期待することができるとともに、位置情報基盤通信アプリケーションが設置された端末機相互間で様々な通信方式で通話することができるので、携帯電話またはスマートフォンに限定されず、ナビゲーション、車両用ブラックボックスおよび有線端末機などの通信機能付き端末機とも情報を交信することができるようにする効果を期待することができる。
【図面の簡単な説明】
【０００７】
【図１】本発明の実現のための第１実施例のハードウェア的構成を示すブロック図である。
【図２】本発明の第１実施例の通信方法を示す順序図である。
【図３】本発明で位置情報によって受信対象端末機のリストを作成する段階を説明するための図である。
【図４】ローカル端末位置格納部に格納されるデータの一例を示す図である。
【図５】本発明で発信端末機の画面に表示される無線端末リストを示す図である。
【図６】本発明の実現のための第２実施例のハードウェア的構成を示すブロック図である。
【図７】本発明の第２実施例の通信方法を示す順序図である。
【図８】本発明で発信端末機の画面に表示される位置情報入力画面を例示した図である。
【図９】通信方法の選択画面を例示した図である。
【図１０】本発明の第３実施例の位置情報基盤通信アプリケーション装置を示す構成図である。
【図１１】本発明の第３実施例に適用された位置情報基盤通信アプリケーションの構成を示す図である。
【図１２】本発明の第３実施例に適用された位置情報入力アプリケーションの構成を示す図である。
【図１３】第３実施例で位置情報基盤通信アプリケーションによって端末機の画面に活性化された位置情報入力選択画面を示す図である。
【図１４】第３実施例で位置情報入力アプリケーションによって端末機の画面に出力された座標入力モードを示す図である。
【図１５】第３実施例で位置情報入力アプリケーションによって端末機の画面に出力された住所入力モードを示す図である。
【図１６】第３実施例で位置情報入力アプリケーションによって端末機の画面に出力された道路名入力モードを示す図である。
【図１７】第３実施例で位置情報入力アプリケーションによって端末機の画面に出力された建物名入力モードを示す図である。
【図１８】第３実施例で位置情報入力アプリケーションによって端末機の画面に出力された地図入力モードを示す図である。
【図１９】第３実施例で受信対象分野選択アプリケーションによって端末機の画面に出力された受信対象分野選択画面を示す図である。
【図２０】通信方法選択アプリケーションによって端末機の画面に出力された通信方法選択画面を示す図である。
【図２１】受信アプリケーションによって端末機の画面に出力された受信画面を示す図である。
【図２２】受信端末機の画面に発信端末機から伝送されたテキストメッセージが出力された画面を示す図である。
【図２３】本発明の通信アプリケーション装置が実現されるための通信システムを例示した図である。
【発明を実施するための形態】
【０００８】
以下、図１〜図２３を参照して本発明の好適な実施例を説明する。
【０００９】
本発明を説明するにあたり定義される用語は、本発明における機能を考慮して定義が下されたもので、本発明の技術的構成要素を限定する意味で理解されてはならず、本発明は大きく３つの実施例に分離されるので、それぞれの実施例として説明する。
【００１０】
［第１実施例］
第１実施例は、ユーザの選択した呼接続位置情報を通信制御部４へ伝送し、通信制御部４から伝送された呼接続位置の周辺に存在する少なくとも一つの受信対象端末機の情報リストを画面上に出力し、受信対象端末機情報リストから選択されたいずれか一つまたはそれ以上の受信対象端末機５を対象とする呼信号を通信制御部４へ伝送する発信端末機１と；発信端末機１から伝送された呼接続位置情報に対応する呼接続位置の周辺に存在する受信対象端末機５のリストを、該当受信対象位置を担当するローカル端末位置格納部３から受信して発信端末機１へ伝送し、発信端末機１から伝送された呼信号に対応する受信対象端末機５の電話番号へ有・無線通信網を介して接続して発信端末機１と受信対象端末機５とを連結させる通信制御部４と；ローカル領域内に存在する受信対象端末機５から一定の周期ごとに受信された位置情報を基地局２を介して受信して格納し、通信制御部４から呼接続位置情報が受信されると、その呼接続位置情報に該当する呼接続位置（受信対象位置）から設定半径内に存在する受信対象端末機を取り合わせて受信対象端末機情報リストを生成させて通信制御部４へ伝送するローカル端末位置格納部３と；衛星６から伝送される位置情報を受信して基地局２へ伝送する受信対象端末機５と；を含んでなることを特徴とする。
【００１１】
前記ハードウェア的構成によって実現される位置情報基盤通信方法は、通信社の通信制御部４が発信端末機１から呼接続のための呼接続位置情報を受信する第１段階と；呼接続位置情報に対応する呼接続位置の周辺に存在する受信対象端末機５のリストを、呼接続位置を担当するローカル端末位置格納部３に要請し、その要請に応えてローカル端末位置格納部３から伝送された受信対象端末機情報リストを通信制御部４が受信する第２段階と；通信制御部４が、前記第２段階で受信された受信対象端末機情報リストを発信端末機１へ伝送し、呼信号の受信を待機する第３段階と；発信端末機１のユーザが受信対象端末機情報リストからいずれか一つの受信対象端末機５を選択することにより伝送された呼信号を通信制御部４が受信し、その受信された呼信号に対応する受信対象端末機５の電話番号へ有・無線通信網を介して接続して発信端末機１と受信対象端末機５とを連結する第４段階と；を含んでなることを特徴とする。
【００１２】
また、前記ローカル端末位置格納部３は、ローカル領域内に存在する受信対象端末機５から一定の周期ごとに伝送された位置情報を基地局２を介して受信して格納し、通信制御部４から呼接続位置情報が伝送されると、その呼接続位置情報に該当する呼接続位置から設定半径内に存在する受信対象端末機を取り合わせて受信対象端末機情報リストを生成させて通信制御部４へ伝送することを特徴とする。
【００１３】
また、前記受信対象端末機５は、基地局２との交信が可能であり且つ衛星からＧＰＳ位置情報を受信して基地局２へ伝送することが可能な第１無線中継器５ｂが連結された有線端末機５ａ；衛星からＧＰＳ位置情報の受信が可能であり且つ通話が可能な無線端末機５ｃ；基地局２との交信が可能であるうえ、衛星からＧＰＳ位置情報を受信して基地局２へ伝送することができ且つ呼接続のための電話番号の付与を受けた第２無線中継器５ｅが連結されたＣＣＴＶ（Ｃｌｏｓｅｄ−Ｃｉｒｃｕｉｔ  Ｔｅｌｅｖｉｓｉｏｎ）カメラ５ｄ；および衛星からＧＰＳ衛星情報を受信することができ且つ無線通話が可能なナビゲーション５ｆのいずれか一つであることを特徴とする。
【００１４】
前記第１無線中継器５ｂは、衛星からＧＰＳ位置情報を受信して基地局２へ伝送する機能を行い、前記有線端末機５ａは、ＰＳＴＮ（Ｐｕｂｌｉｃ  Ｓｗｉｔｃｈｅｄ  Ｔｅｌｅｐｈｏｎｅ  Ｎｅｔｗｏｒｋ）網またはインターネット網を介して通話連結が行われる通常の有線電話機またはインターネット電話機である。
【００１５】
また、前記第２無線中継器５ｅは、基地局を介して発信端末機１から接続が行われたとき、ＣＣＴＶカメラ５ｄで撮影される映像情報を発信端末機１へ無線伝送するように構成される。
【００１６】
前記通信制御部４が呼接続位置の周辺に存在する受信対象端末機のリストをローカル端末位置格納部３に要請したことに対して、ローカル端末位置格納部３から該当呼接続位置の設定半径内に受信対象端末機５が存在しないと応答がくると、通信制御部４は、ローカル端末位置格納部３へ設定半径を所定の距離拡張するように要請し、ローカル端末位置格納部３は、通信制御部４の要請に応えて呼接続位置に対する設定半径を拡張し、その設定半径内に存在する受信対象端末機のリストを生成して通信制御部４へ伝送することを特徴とする。
【００１７】
また、前記呼接続位置情報は、住所情報および緯度と経度からなる位置座標（Ｘ，Ｙ）のいずれか一つであることを特徴とする。
【００１８】
第１実施例では、技術の理解を助けるために、発信端末機１と受信対象端末機５が位置的に互いに離隔しており、発信端末機１は第１基地局２ａと交信し、受信対象端末機５は第２基地局２ｂと交信し、それぞれの第１基地局２ａと第２基地局２ｂにそれぞれ異なるローカル端末位置格納部３ａ、３ｂが連結されていることを例として説明する。
【００１９】
このように構成された本発明の動作を説明すると、次のとおりである。
【００２０】
まず、発信端末機１を使用するユーザが、特定の地域で行われている祝祭について調べるために、祝祭が行われている地域の呼接続位置情報を基地局２ａを介して通信制御部４へ伝送する。
【００２１】
呼接続のための呼接続位置情報の入力は、ユーザが、住所情報を発信端末機１に表示された呼接続位置情報入力画面（図８参照）を介して入力して伝送するか、該当地域の位置座標（緯度−Ｘ、経度−Ｙ）を入力して伝送する。
【００２２】
呼接続位置情報を入力するための別の入力方法では、発信端末機１の画面上に、位置を選択することが可能な地図が出力されるようにした後、その地図上でユーザが所望の地域の位置を選択して呼接続位置情報を伝送することができる。
【００２３】
発信端末機１から呼接続のための呼接続位置情報が伝送されると、通信社の通信制御部４は、第１基地局２ａを介して呼接続位置情報を受信した後、その呼接続位置情報に対応する呼接続位置（受信対象位置）の設定半径内に存在する受信対象端末機５のリストを伝送してくれることを、該当呼接続位置を担当するローカル端末位置格納部３に要請し、その要請に応えてローカル端末位置格納部３から伝送された受信対象端末機情報リストを通信制御部４が受信する。
【００２４】
前記通信制御部４が呼接続位置情報を全体の基地局２へ伝送すると、該当基地局２に連結されているローカル端末位置格納部３のうち、該当呼接続位置を含むローカル領域を担当するローカル端末位置格納部、すなわち、本発明では第２基地局２ｂに連結されているローカル端末位置格納部３ｂが作動し、呼接続位置の設定半径内に存在する受信対象端末機のリストを生成して通信制御部４へ伝送する。
【００２５】
ここで、前記ローカル端末位置格納部３の動作をより詳細に説明する。
【００２６】
一般に、無線端末機５ｃは、ＧＰＣ衛星６からＧＰＳ位置情報を受信した後、その位置情報を一定の周期ごとにローカル地域内の基地局２へ伝送する。
【００２７】
本発明では、受信対象端末機５を無線端末機５ｃだけでなく、有線端末機５ａ、ＣＣＴＶカメラ５ｄ、ナビゲーション５ｆ、運送手段用ブラックボックス５ｇ、携帯電話、スマートフォン、タブレットＰＣ、およびノート型パソコンに拡張した。
【００２８】
前記有線端末機５ａ、ＣＣＴＶカメラ５ｄおよび運送手段用ブラックボックス５ｇは、基地局２へＧＰＳ位置情報を伝送することができるようにするために、別途の第１および第２無線中継器５ｂを連結して使用し、ナビゲーション５ｆは、自体的に無線通信が可能であってＧＰＳ位置情報を基地局２へ伝送することができるように構成した。
【００２９】
このような状態で、図３に示すように、基地局２が担当するローカル領域内に多数の受信対象端末機Ａ１〜Ａ１０が存在すると仮定するとき、前記受信対象端末機Ａ１〜Ａ１０は、衛星６から受信した位置情報を一定の周期ごとに基地局２へ伝送し、前記基地局２に連結されているローカル端末位置格納部３は、基地局２を介して受信される受信対象端末機Ａ１〜Ａ１０の位置情報を図４のように格納する。
【００３０】
図４には、受信対象端末機Ａ１〜Ａ１０に対する位置情報がＸ、Ｙ座標として格納され、該位置情報と共に該当受信対象端末機Ａ１〜Ａ１０の電話番号が格納されたことが例示されている。
【００３１】
このようにローカル端末位置格納部３にローカル領域内に存在する受信対象端末機Ａ１〜Ａ１０の位置情報が格納されている状態で、通信制御部４から呼接続位置情報Ｘ、Ｙが伝送されると、ローカル端末位置格納部３は、該当呼接続位置情報の位置が基地局２のローカル領域内に含まれるものと判断した後、該当呼接続位置Ｘ、Ｙから設定半径内（選択領域）に存在する受信対象端末機Ａ２〜Ａ５を探し出してその受信対象端末機Ａ２〜Ａ５をリストデータとして生成して通信制御部４へ伝送する。
【００３２】
前記設定半径は１００ｍ〜３００ｍに設定することが好ましく、さらに拡張できる。
【００３３】
一方、前記通信制御部４から呼接続位置情報を受信したローカル端末位置格納部３が該当呼接続位置から設定半径内に存在する受信対象端末機を検索したとき、その設定半径内に受信対象端末機が存在しないと判断されると、ローカル端末位置格納部３は、通信制御部４へ呼接続位置の周辺に通話可能な受信対象端末機が存在していない状態を通信制御部４へ伝送し、通信制御部４は、ローカル端末位置情報格納部３へ設定半径を所定の距離拡張するように要請し、ローカル端末位置格納部３は、通信制御部４の要請に応えて呼接続位置に対する設定半径を拡張し、その設定半径内に存在する受信対象端末機のリストを生成して通信制御部４へ伝送する。
【００３４】
前述したように、ローカル端末位置格納部３から伝送された呼接続位置の設定半径内に存在する受信対象端末機のリストが通信制御部４に受信されると、通信制御部４は、受信された受信対象端末機リストを第１基地局２ａを介して発信端末機１へ伝送し、発信端末機１の画面には通信制御部４から伝送された受信対象端末機リストが図５のように表示される。
【００３５】
図５のように発信端末機１の画面上に受信対象端末機リストが表示された状態で、ユーザは、発信端末機１に備えられている上下移動キー（図示せず）を操作して受信対象端末機リストからいずれか一つの受信対象端末機を選択する。
発信端末機１にタッチスクリーン機能が提供されると、ユーザは、受信対象端末機リストからいずれか一つの受信対象端末機を手指でタッチすることにより、該当受信対象端末機を選択する。
【００３６】
ユーザの前記発信端末機１の操作によっていずれか一つの受信対象端末機が選択され、その選択された受信対象端末機５への呼接続が要請されると、その呼信号が第１基地局２ａを介して通信制御部４へ伝送され、通信制御部４は、受信対象端末機５の電話番号へダイヤリングして呼信号が受信無線端末機５へ伝送されるようにする。
【００３７】
前記通信制御部４は、受信対象端末機５の通信方式に基づいて無線インターネット網、無線ブローバンド（ＷｉＢｒｏ）網、有線インターネット網、ＰＳＴＮ網、または無線通信網を介して受信対象端末機５へ呼信号が伝送されるように作動する。
【００３８】
呼信号を受信対象端末機５が受信すると、受信対象端末機５に着信音が発生し、これを認識した受信者が受信対象端末機５を操作して応答すると、その応答信号が有・無線通信網を介して通信制御部４へ伝送されて発信端末機１と受信対象端末機５とが互いに連結されて通話することができるようになる。
【００３９】
特定の地域（呼接続位置）の周辺に存在する受信対象端末機５に連結された発信端末機１のユーザ、すなわち、発信者は、特定の地域で発生する現在状況を受信者に直接聞いてみながら情報を取得することができるとともに、映像通話が可能な端末機であれば、周辺の映像を実時間で確認することができてより正確な情報を取得することができる。
【００４０】
また、発信者は、特定の地域に設置されているＣＣＴＶに連結し、ＣＣＴＶで撮影される映像を無線端末機を介して確認することができる。
【００４１】
前述したような本発明の位置情報を呼信号とする通信方法を使用すると、他の地域で行われる祝祭、大型事故などに対する詳細な情報を遠距離のユーザが素早くかつ迅速に取得することができるという効果を期待することができる。
【００４２】
［第２実施例］
第２実施例の説明において、第１実施例と同一の構成については同一符号で表記して重複説明を省略する。
【００４３】
第２実施例のハードウェア的構成は、有無線インターネット通信が可能な端末機であって、インターネットを介してＷｅｂサーバー１００に接続し、Ｗｅｂサーバー１００から提供される受信対象端末機情報リストから少なくとも一つの受信者、および該選択された受信者と交信しようとする通信方法を選択してＷｅｂサーバー１００へ伝送した後、Ｗｅｂサーバー１００によって連結された受信対象端末機５と交信する発信端末機１と；インターネットを介して接続した発信端末機１へ、呼接続位置情報を入力あるいは選択することが可能な呼接続位置情報入力画面を提供し、呼接続位置情報入力画面を介して入力された呼接続位置情報を通信制御部４へ伝送し、通信制御部４から伝送された呼接続位置の周辺に存在する受信対象端末機の情報リストを発信端末機１に画面出力し、発信端末機１によって受信対象端末機の情報リストから選択された少なくとも一つの受信対象端末機５を対象とする呼信号を通信制御部４へ伝送するＷｅｂサーバー１００と；Ｗｅｂサーバー１００から伝送された呼接続位置情報に対応する呼接続位置の周辺に存在する受信対象端末機５のリストを、該当受信対象位置を担当するローカル端末位置格納部３から受信してＷｅｂサーバー１００へ伝送し、Ｗｅｂサーバー１００から伝送された呼信号に対応する受信対象端末機５の電話番号へ有・無線通信網を介して接続して発信端末機１と受信対象端末機５とを連結させる通信制御部４と；ローカル領域内に存在する受信対象端末機５から一定の周期ごとに伝送された位置情報を基地局２を介して受信して格納し、通信制御部４から呼接続位置情報が伝送されると、その呼接続位置情報に該当する呼接続位置（受信対象位置）から設定半径内に存在する受信対象端末機を取り合わせて受信対象端末機情報リストを生成させて通信制御部４へ伝送するローカル端末位置格納部３と；衛星６から伝送される位置情報を受信して基地局２へ伝送する受信対象端末機５と；を含んでなることを特徴とする。
【００４４】
前記ハードウェア的構成によって実現される位置情報基盤通信方法は、  Ｗｅｂサーバー１００が、インターネットを介して接続するユーザの発信端末機１へ、呼接続のための呼接続位置情報を入力あるいは選択することが可能な呼接続位置情報入力画面を伝送する第１段階と；呼接続位置情報入力画面を介してユーザが入力あるいは選択した呼接続位置情報をＷｅｂサーバー１００が受信し、その呼接続位置情報を通信制御部４へ伝送して受信対象端末機情報リストを要請する第２段階と；Ｗｅｂサーバー１００の要請に応えて通信制御部４がローカル端末位置格納部３から受信対象端末機情報リストを受信してＷｅｂサーバー１００へ提供し、Ｗｅｂサーバー１００は受信された受信対象端末機情報リストを発信端末機１へ伝送する第３段階と；ユーザが受信対象端末機情報リストを用いて１名の受信者または複数の受信者を選択した後、所望の通信方法を選択して伝送する情報をＷｅｂサーバー１００が受信し、Ｗｅｂサーバー１００は、ユーザが選択した受信対象端末機５へ、テキストメッセージ、通話およびデータ通信の中から選ばれたいずれか一つの通信方法で情報を伝送しあるいは通話が行われるようにする第４段階と；を含んでなることを特徴とする。
【００４５】
前記第４段階でユーザの選択した通信方法がＳＭＳ（Ｓｈｏｒｔ  Ｍｅｓｓａｇｅ  Ｓｅｒｖｉｃｅ）テキストメッセージ伝送であれば、Ｗｅｂサーバー１００は、ユーザがテキストメッセージを入力することが可能な入力画面を提供し、その入力画面に入力されたテキストメッセージを通信制御部４へ伝送して受信対象端末機へテキストメッセージが伝送されるようにすることを特徴とする。
【００４６】
前記発信端末機１は、有線または無線インターネット通信が可能な端末機であって、携帯電話、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）、スマートフォン、タブレットＰＣ、および衛星電話のいずれか一つであることを特徴とする。
【００４７】
前記ローカル端末位置格納部３は、ローカル領域内に存在する受信対象端末機５から一定の周期ごとに伝送された位置情報を基地局２を介して受信して格納し、通信制御部４から呼接続位置情報が伝送されると、その呼接続位置情報に該当する呼接続位置から設定半径内に存在する受信対象端末機を取り合わせて受信対象端末機情報リストを生成させて通信制御部４へ伝送することを特徴とする。
【００４８】
また、前記受信対象端末機５は、基地局２との交信が可能であり且つ衛星からＧＰＳ位置情報を受信して基地局２へ伝送することが可能な第１無線中継器５ｂが連結された有線端末機５ａ；衛星からＧＰＳ位置情報の受信が可能であり且つ通話が可能な無線端末機５ｃ；基地局２との交信が可能であるうえ、衛星からＧＰＳ位置情報を受信して基地局２へ伝送することができ且つ呼接続のための電話番号の付与を受けた第２無線中継器５ｅが連結されたＣＣＴＶカメラ５ｄ；衛星からＧＰＳ位置情報を受信することができ且つ無線通話が可能なナビゲーション５ｆ；および基地局２との交信が可能であるうえ、衛星からＧＰＳ位置情報を受信して基地局２へ伝送することができ且つ呼接続のための電話番号の付与を受けた第２無線中継器５ｅが連結されたカメラ付き運送手段用ブラックボックス５ｇのいずれか一つであることを特徴とする。
【００４９】
前記第１無線中継器５ｂは、衛星からＧＰＳ位置情報を受信して基地局２へ伝送する機能を行い、前記有線端末機５ａは、ＰＳＴＮ網またはインターネット網を介して通話連結が行われる通常の有線電話機またはインターネット電話機である。
【００５０】
前記第２無線中継器５ｅは、基地局を介して発信端末機１から接続が行われたとき、ＣＣＴＶカメラ５ｄで撮影される映像情報を発信端末機１へ無線伝送するように構成される。
【００５１】
このように構成された第２実施例の動作を説明すると、次のとおりである。
【００５２】
まず、ユーザが発信端末機１を用いてインターネットを介してＷｅｂサーバー１００に接続し、Ｗｅｂサーバー１００は図８のような位置情報入力画面を発信端末機１に提供する。
【００５３】
位置情報入力画面には、ユーザが直接住所を入力することが可能な住所入力ウィンドウ、緯度と経度からなる位置座標を入力することが可能な座標入力ウィンドウ、および地図を用いてユーザが選択することが可能な地図選択ウィンドウが備えられており、ユーザは、このような位置情報入力画面を用いて所望の位置に対応する座標または住所を入力するか、それとも地図選択ウィンドウに備えられた地図画面を用いて所望の位置を選択する。
一方、呼接続位置情報入力画面には、ユーザが交信しようとする受信者の対象分野（カテゴリー）を選択することが可能な対象分野選択画面が含まれる。
【００５４】
対象分野選択画面は、多数の分野を示す分野ポップアップウィンドウ（税金、宿泊、スポーツ、食堂など）を表示し、ユーザによって特定の分野ポップアップウィンドウが選択されると、Ｗｅｂサーバー１００は、ユーザが選択した呼接続位置情報に対応する位置で該当分野として予め登録されている受信対象者情報リストを発信端末機１へ提供する。
【００５５】
ユーザが発信端末機１を用いて接続しようとする呼接続位置を選択すると、その呼接続位置情報の入力を受けたＷｅｂサーバー１００は、呼接続位置情報を通信制御部４へ伝送する。
【００５６】
呼接続のための呼接続位置情報が入力されると、通信社の通信制御部４は、呼接続位置情報に対応する呼接続位置の設定半径内に存在する受信対象端末機５のリストを伝送してくれることを、該当呼接続位置を担当するローカル端末位置格納部３に要請し、その要請に応えてローカル端末位置格納部３から伝送された受信対象端末機情報リストを受信する。
【００５７】
前記通信制御部４が呼接続位置情報を全体の基地局２へ伝送すると、該当基地局２に連結されているローカル端末位置格納部３のうち、該当呼接続位置を含むローカル領域を担当するローカル端末位置格納部３が作動し、呼接続位置の設定半径内に存在する受信対象端末機のリストを生成して通信制御部４へ伝送する。
【００５８】
ここで、前記ローカル端末位置格納部３の動作は第１実施例と同様なので、その詳細な説明を省略する。
【００５９】
前述したようにローカル端末位置格納部３ｂから伝送された呼接続位置の設定半径内に存在する受信対象端末機のリストが通信制御部４に受信されると、通信制御部４は受信された受信対象端末機リストをＷｅｂサーバー１００へ伝送し、Ｗｅｂサーバー１００は入力された受信対象端末機リストを発信端末機１へ提供し、発信端末機１の画面にはＷｅｂサーバー１００から伝送された受信対象端末機リストが図５のように表示される。
【００６０】
図５のように発信端末機１の画面上に受信対象端末機リストが表示された状態で、ユーザは、発信端末機１に備えられている上下移動キー（図示せず）を操作して受信対象端末機リストからいずれか一つまたは複数の受信対象端末機を選択する。
【００６１】
発信端末機１にタッチスクリーン機能が提供されると、ユーザは、受信対象端末機リストから、いずれか一つの受信対象端末機を手指でタッチすることにより該当受信端末機を選択する。
【００６２】
ユーザの前記発信端末機１の操作によっていずれか一つまたは複数の受信対象端末機が選択されると、Ｗｅｂサーバー１００は、図９のように通信方法を選択することが可能な選択画面を発信端末機１へ伝送し、ユーザは、Ｗｅｂサーバー１００から伝送された選択画面を介してテキストメッセージ、通話、データ伝送および映像通話のいずれか一つを選択する。
【００６３】
前記選択画面からユーザがテキストメッセージを選択すると、Ｗｅｂサーバー１００は、発信端末機１にテキストメッセージを入力することが可能なポップアップウィンドウを表示し、ユーザは、そのポップアップウィンドウを用いて、伝送したいテキストメッセージを入力する。
【００６４】
ユーザが入力したテキストメッセージは、Ｗｅｂサーバー１００が通信制御部４を介して一つまたは複数の受信対象端末機５へ伝送する。
【００６５】
このようなテキストメッセージ伝送通信方法は特定の会社がある地域単位で自社広報用テキストを多数の受信人に伝送しようとするときに非常に有用に使用でき、ユーザは少ない費用で莫大な広報効果を期待することができる。
【００６６】
一方、ユーザが選択画面から通話通信方法を選択すると、Ｗｅｂサーバー１００は発信端末機１と受信対象端末機５とが互いに通話することができるように連結し、通話または映像通話通信方法はユーザが一つの受信対象端末機５を選択したときにのみ可能である。
前記通信制御部４は、受信対象端末機５の通信方式に基づいて無線インターネット網、ＷｉＢｒｏ網、有線インターネット網、ＰＳＴＮ網または無線通信網を介して受信対象端末機５へ呼信号が伝送されるように作動する。
【００６７】
呼信号を受信対象端末機５が受信すると、受信対象端末機５に着信音が発生し、これを認識した受信者が受信対象端末機５を操作して応答すると、その応答信号が有・無線通信網を介して通信制御部４へ伝送されることにより、発信端末機１と受信対象端末機５とが互いに連結されて通話することができる。
【００６８】
特定の地域（呼接続位置）の周辺に存在する受信対象端末機５に連結された発信端末機１のユーザ、すなわち、発信者は、特定の地域で発生する現在状況を受信者に直接聞いてみながら情報を取得することができるとともに、映像通話が可能な端末機であれば、周辺の映像を実時間で確認することができてより正確な情報を取得することができる。
【００６９】
［第３実施例］
図１０〜図２３は本発明の第３実施例を示す。本発明の第３実施例は、端末機に設置され、該当端末機を位置情報を基盤とする発信器または受信器として使用するように動作し、発信器として動作する場合、ユーザが呼接続位置情報を入力することが可能な入力画面を端末機の画面上に出力し、ユーザが入力する呼接続位置情報を位置情報基盤サーバーアプリケーション部２０００へ伝送し、位置情報基盤サーバーアプリケーション部２０００から受信される受信対象端末機情報リストを画面上に出力し、ユーザが選択する少なくとも一つの受信対象端末機情報、および通信方法を位置情報基盤サーバーアプリケーション部２０００へ伝送する位置情報基盤通信アプリケーション部１０００と；端末機に位置情報基盤通信アプリケーションプログラムをダウンロードして位置情報基盤通信アプリケーション部１０００を設置し、位置情報基盤通信アプリケーション部１０００から呼接続位置情報が伝送される場合、該当呼接続位置の周辺に位置した受信対象端末機の情報リストを位置情報基盤通信アプリケーション部１０００へ伝送し、位置情報基盤通信アプリケーション部１０００から選択されて伝送された受信対象端末機情報および通信方法に基づいて交信が行われるように制御する位置情報基盤サーバーアプリケーション部２０００と；を含んでなることを特徴とする。
【００７０】
前記位置情報基盤通信アプリケーション部１０００は、端末機に設置されて該当端末機を発信器または受信器として作動させ、発信器としての動作時に呼接続位置情報、受信対象分野、および通信方法を選択することができるように動作する位置情報基盤通信アプリケーション１１００と；無線インターネットまたは電話網を介しての通信機能を有し、位置情報基盤サーバーアプリケーション部２０００から位置情報基盤通信アプリケーションプログラムの供給を受けて端末機に設置し、位置情報基盤通信アプリケーション１１００から出力されるデータを位置情報基盤サーバーアプリケーション部２０００へ伝送する通信部１２００と；を含んでなることを特徴とする。
【００７１】
前記位置情報基盤通信アプリケーション１１００は、座標入力モード、住所入力モード、道路名入力モード、建物名入力モード、または地図入力モードで呼接続するための呼接続位置情報を入力することが可能な呼接続モード入力画面を端末機の画面に表示する位置情報入力アプリケーション１１１０と；位置情報を基盤とする接続要請の際に発信者が交信しようとする受信者の対象分野（カテゴリー）を選択することが可能な対象分野選択画面を端末機の画面に表示する受信対象分野選択アプリケーション１１２０と；発信者が受信対象者と交信するときに「音声通話」、「映像通話」、「テキストメッセージ」、および「データ伝送」の中からいずれか一つの通信方法を選択することが可能な通信方法選択画面を端末機の画面上に表示する通信方法選択アプリケーション１１３０と；該当端末機を受信器として作動するように動作し、発信器から位置情報を基盤とする通話要請がある場合、受信者が通話または拒絶を選択することが可能な受信選択画面を端末機の画面上に出力する受信アプリケーション１１４０と；を含んでなることを特徴とする。
【００７２】
本発明の位置情報基盤通信アプリケーション装置は、携帯電話、スマートフォン、タブレットＰＣ、ノート型パソコンなどのように音声通話、映像通話およびデータ通信が可能な有無線端末機に設置され、該当端末機を発信器または受信器として作動させるものであり、ユーザが端末機を用いて位置情報基盤サーバーアプリケーション部２０００に接続して位置情報基盤通信アプリケーションプログラムをダウンロードすることにより、端末機に位置情報基盤通信アプリケーション部１０００が設置される。
【００７３】
端末機に設置された位置情報基盤通信アプリケーション部１０００は、位置情報基盤通信アプリケーション１１００と通信部１２００から構成される。
【００７４】
位置情報基盤通信アプリケーション１１００は、位置情報入力アプリケーション１１１０、受信対象分野選択アプリケーション１１２０、通信方法選択アプリケーション１１３０、および受信アプリケーション１１４０から構成され、通信部１２００は、位置情報基盤サーバーアプリケーション部２０００とのデータ交信機能を行う。
【００７５】
端末機のユーザが位置情報基盤通信アプリケーション部１０００を実行させると、位置情報入力アプリケーション１１１０が作動して図１３のような位置情報基盤通信のための初期画面が端末機の画面上に表示される。
【００７６】
初期画面には、位置情報基盤呼接続要請のための呼接続位置情報を入力することが可能な座標入力、住所圧力、道路名入力、建物名入力、および地図入力アイコンが表示される。
【００７７】
ユーザが座標入力アイコンを選択すると、座標入力モード１１１１が作動して図１４のような座標入力モード画面が端末機に表示され、ユーザは呼接続要請のための呼接続位置情報に該当する緯度、経度を入力し、座標入力モード１１１１はユーザが入力した緯度、経度情報を位置情報基盤通信アプリケーション１１００に格納する。
【００７８】
ユーザが住所入力アイコンを選択すると、住所入力モード１１１２が作動して図１５のような住所入力モード画面が端末機に表示され、ユーザは呼接続要請のための呼接続位置情報に該当する住所を住所入力ウィンドウに入力し、住所入力モード１１１２はユーザが入力した住所情報を位置情報基盤通信アプリケーション１１００に格納する。
【００７９】
ユーザが道路名入力アイコンを選択すると、道路名入力モード１１１３が作動して図１６のような道路名入力モード画面が端末機に表示され、ユーザは呼接続要請のための呼接続位置情報に該当する道路名を道路名入力ウィンドウに入力し、道路名入力モード１１１３はユーザが入力した道路名情報を位置情報基盤通信アプリケーション１１００に格納する。
【００８０】
ユーザが建物名入力アイコンを選択すると、建物名入力モード１１１４が作動して図１７のような建物名入力モード画面が端末機に表示され、ユーザは呼接続要請のための呼接続位置情報に該当する建物名を建物名入力ウィンドウに入力し、建物名入力モード１１１４はユーザが入力した建物名情報を位置情報基盤通信アプリケーション１１００に格納する。
【００８１】
ユーザが地図入力アイコンを選択すると、地図入力モード１１１５が作動して図１８のような地図入力モード画面が端末機に表示され、ユーザは呼接続要請のための呼接続位置情報に該当する位置を地図上にタッチして入力し、地図入力モード１１１５はユーザがタッチした位置に該当する緯度、経度情報を位置情報基盤通信アプリケーション１１００に格納する。
【００８２】
ユーザが音声入力アイコンを選択すると、音声入力モード１１１６が作動して「呼接続位置情報に該当する建物名または位置名を言って下さい」という案内メッセージが画面上に表示される。もしユーザが建物名または位置名を言ったら、音声を音声入力モード１１１６で認識した後、該当位置に該当する緯度、経度情報を位置情報基盤通信アプリケーション１１００に格納する。
【００８３】
上述したように呼接続位置情報入力のための入力画面（図１４〜図１８）には下部に受信対象分野選択アイコンが表示されており、ユーザが呼接続位置情報の入力後に受信対象分野選択アイコンを選択すると、受信対象分野選択アプリケーション１１２０が作動し、図１９のように、ユーザが選択することが可能な受信対象分野、すなわち、「税金」、「法律」、「食堂」、「海水浴場」、「釣」、「宿泊」、「スポーツ」、「花屋」および「農場」などの選択ボタンが表示され、もしユーザがいずれか一つの受信対象分野を選択すると、ユーザが入力した呼接続位置の周辺に存在する受信対象分野の受信対象端末機が受信対象端末機リストとして発信者に提供される。
【００８４】
受信対象分野は予め登録されて格納される。
発信者は、受信対象分野を選択することなく、次の段階に進行することができる。
【００８５】
発信者が受信対象分野を選択したあるいは選択していない状態で次の段階に進行させると、通信方法選択アプリケーション１１３０が動作し、図２０に示すように、その間に発信者によって選択された呼接続位置情報（Ｘ，Ｙ）および受信対象が表示されると同時に、通信方法（音声通話、映像通話、テキストメッセージ、データ通信）を選択することが可能な通信方法選択画面を端末機の画面に出力する。
【００８６】
この通信方法選択画面からユーザが特定の通話方法を選択すると、位置情報基盤通信アプリケーション１１００は、発信者が選択した呼接続位置情報、受信対象、および通信方法を通信部１２００を介して位置情報基盤サーバーアプリケーション部２０００へ伝送し、その後、位置情報サーバーアプリケーション部２０００から受信対象リストが受信されると、位置情報基盤サーバーアプリケーション部２０００は、受信対象リストを端末機の画面上に表示してユーザがいずれか一つまたは複数の受信対象を選択するようにし、ユーザがいずれか一つまたは複数の受信対象端末機を選択すると、該当受信対象端末機への呼接続を試みて音声通話、映像通話、またはテキストメッセージの伝送が行われるようにする。
【００８７】
図２１は、位置情報基盤通信アプリケーション部１０００の設置された端末機が受信器として作動する作動例を示す。位置情報基盤通話要請が受信されると、受信アプリケーション１１４０が作動し、図２１に示すように、「位置情報基盤通話要請です」というメッセージと共に通話または拒絶を選択することが可能な画面を出力し、この画面を介して、受信者は位置情報基盤で呼接続を要請する発信者との通話を受け入れるかあるいは拒絶することができる。
【００８８】
図２２は発信者から位置情報基盤テキストメッセージが送り出されて受信者の端末機に表示された一例を示す。
【００８９】
一方、前記位置情報基盤サーバーアプリケーション部２０００は、位置情報基盤通信アプリケーション部１０００にダウンロードする位置情報基盤通信アプリケーションプログラムを格納および伝送するデータコントロールモジュール２１００と；位置情報基盤通信アプリケーション部１０００と周期的に交信しながら最新の位置情報基盤通信アプリケーションプログラムをアップデートさせるアップデートモジュール２２００と；位置情報基盤通信アプリケーション部１０００とデータを交信し、位置情報基盤通信アプリケーション部１０００からの呼接続要請があるとき、通信網をなす通信制御部６００と交信して位置情報基盤通信が行われるように制御する通信制御モジュール２３００と；を含んでなる。
【００９０】
一方、図２３は本発明の位置情報基盤通信アプリケーション装置が含まれている通信網を全体的に示す。本発明に係る位置情報基盤通信アプリケーション装置は、有線または無線インターネット通信が可能であり、電話機能および映像表示機能を有し、位置情報基盤通信アプリケーション部１０００が設置されている発信端末機５００と；衛星４００から伝送される位置情報を受信して基地局７００へ伝送し、位置情報基盤通信アプリケーション部１０００が設置されている少なくとも一つの受信対象端末機９００と；受信対象端末機９００と通信制御部６００とを連結する基地局７００と；受信対象端末機９００から伝送された位置情報を基地局７００を介して受信し、ローカル領域内に存在する受信対象端末機９００の位置情報を格納するローカル端末位置格納部８００と；発信端末機５００で選択された呼接続位置情報、受信対象端末機情報および通信方法を通信制御部６００へ伝送し、発信端末機５００で選択された通信方法がテキストメッセージである場合、発信端末機５００を介して入力されるテキストメッセージを通信制御部６００を介して受信対象端末機へ伝送する位置情報基盤サーバーアプリケーション部２０００と；位置情報基盤サーバーアプリケーション部２０００から伝送された呼接続位置情報を基盤とする呼信号に応えて、該当呼接続位置の周辺に存在する受信対象端末機９００のリストの提供をローカル端末位置格納部８００から受けた後、位置情報基盤サーバーアプリケーション部２０００へ伝送し、その後、発信端末機５００で特定の受信対象端末機が選択されることにより伝送される呼信号に応えて、該当受信対象端末機９００へ有・無線通信網（例えば、無線インターネット網、ＷｉＢｒｏ網、有線インターネット網、ＰＳＴＮ網）を介して接続して発信端末機５００と受信対象端末機９００とが通信することができるように制御する通信制御部６００と；を含んでなる。
【００９１】
発信端末機５００と受信対象端末機９００は、発信器と受信器として使用されたものを例として機能的に分類したものであり、実際には同じ端末機である。
【００９２】
前記端末機は、基地局７００との交信が可能であり且つ衛星４００からＧＰＳ位置情報を受信して基地局７００へ伝送することが可能な第１無線中継器９００ｂが連結された有線端末機９００ａ；衛星４００からＧＰＳ位置情報の受信が可能であり且つ通話が可能な無線端末機９００ｃ；基地局７００との交信が可能であるうえ、衛星からＧＰＳ位置情報を受信して基地局へ伝送することができ且つ呼接続のための電話番号の付与を受けた第２無線中継器９００ｅが連結されたＣＣＴＶカメラ９００ｄ；衛星４００からＧＰＳ位置情報を受信することができ且つ無線通話が可能であるカメラ付きナビゲーション９００ｆ；基地局７００との交信が可能であるうえ、衛星４００からＧＰＳ位置情報を受信して基地局７００へ伝送することができ且つ呼接続のための電話番号の付与を受けた第２無線中継器９００ｅが連結されたカメラ付き運送手段用ブラックボックス９００ｇ；携帯電話；スマートフォン；およびタブレットＰＣのいずれか一つであることを特徴とする。
【００９３】
本発明の位置情報基盤通信アプリケーション装置が図２３のような全体通信網と連携して作動する動作を説明する。
【００９４】
まず、ユーザが発信端末機５００に設置された位置情報基盤通信アプリケーション部１０００を用いて呼接続位置情報、受信対象分野、および通話方法を選択して位置情報基盤サーバーアプリケーション部２０００へ伝送すると、位置情報基盤サーバーアプリケーション部２０００は呼接続位置情報を通信制御部６００へ伝送し、通信社の通信制御部６００は、呼接続位置情報に対応する呼接続位置の設定半径内に存在する受信対象端末機９００のリストを伝送してくれることを、該当呼接続位置を担当するローカル端末位置格納部８００に要請し、その要請に応えてローカル端末位置格納部８００から伝送された受信対象端末機情報リストを受信する。
【００９５】
前記通信制御部６００が呼接続位置情報を全体の基地局７００へ伝送すると、該当基地局７００に連結されているローカル端末位置格納部８００のうち、該当呼接続位置を含むローカル領域を担当するローカル端末位置格納部８００が作動し、呼接続位置の設定半径内に存在する受信対象端末機のリストを生成して通信制御部６００へ伝送し、通信制御部６００は受信対象リストを位置情報基盤サーバーアプリケーション部２０００を介して発信端末機５００へ伝送する。
【００９６】
もし発信者が受信対象分野を選択したら、位置情報基盤サーバーアプリケーション部２０００が、データコントロールモジュール２１００に格納されている受信対象分野リストから選ばれた、該当呼接続位置に近接する受信対象分野の受信対象者を直ちに発信端末機５００へ伝送する。
【００９７】
発信端末機５００の画面上に受信対象端末機リストが表示された状態で、ユーザは、発信端末機５００を操作して受信対象端末機リストの中からいずれか一つまたは複数の受信対象端末機を選択し、位置情報基盤サーバーアプリケーション部２０００は、発信端末機５００で選択された受信対象端末機９００が互いに通話することができるように連結する。
【００９８】
通信制御部６００は、受信対象端末機９００の通信方式に基づいて無線インターネット網、ＷｉＢｒｏ網、有線インターネット網、ＰＳＴＮ網および無線通信網を介して受信対象端末機９００へ呼信号が伝送されるように作動する。
【００９９】
特定の地域（呼接続位置）の周辺に存在する受信対象端末機９００に連結された発信端末機５００のユーザ、すなわち、発信者は、特定の地域で発生する現在状況を受信者に直接聞いてみながら情報を取得することができるとともに、映像通話が可能な端末機であれば、周辺の映像を実時間で確認することができてより正確な情報を取得することができる。
【０１００】
また、発信者は、移動する車両用ブラックボックスのカメラまたはナビゲーションのカメラに連結し、車両用ブラックボックスのカメラまたはナビゲーションのカメラで撮影される映像を無線端末機を介して確認することができる。
【０１０１】
また、発信者は、特定の地域に設置されているＣＣＴＶに連結し、ＣＣＴＶで撮影される映像を無線端末機を介して確認することができる。
【０１０２】
前述したような本発明の位置情報を呼信号とする通信方法を使用すると、他の地域で行われる祝祭、大型事故などに関する詳細な情報を遠距離のユーザが素早くかつ迅速に取得することができるという効果を期待することができる。
【０１０３】
以上、本発明の好適な実施例について説明の目的で開示したが、当業者であれば、添付した請求の範囲に開示された本発明の精神と範囲から逸脱することなく、様々な変形、追加および置換を加え得ることを理解するであろう。
【図１】
2015519023.tif 000003
【図２】
2015519023.tif 000004
【図３】
2015519023.tif 000005
【図４】
2015519023.tif 000006
【図５】
2015519023.tif 000007
【図６】
2015519023.tif 000008
【図７】
2015519023.tif 000009
【図８】
2015519023.tif 000010
【図９】
2015519023.tif 000011
【図１０】
2015519023.tif 000012
【図１１】
2015519023.tif 000013
【図１２】
2015519023.tif 000014
【図１３】
2015519023.tif 000015
【図１４】
2015519023.tif 000016
【図１５】
2015519023.tif 000017
【図１６】
2015519023.tif 000018
【図１７】
2015519023.tif 000019
【図１８】
2015519023.tif 000020
【図１９】
2015519023.tif 000021
【図２０】
2015519023.tif 000022
【図２１】
2015519023.tif 000023
【図２２】
2015519023.tif 000024
【図２３】
2015519023.tif 000025
【国際調査報告】
2015519023.tif 000026
2015519023.tif 000027
2015519023.tif 000028